(57)【要約】【課題】吸着板とヨークの金属同士が衝突することによる発塵がなく、衝撃耐久性があり、防水性の高いスイッチ付きマグネットキャッチを提供する。【解決手段】スイッチ付きマグネットキャッチの本体１は、収納空間４を有する非磁性のケース３と、この収納空間４内に密閉して収納される永久磁石５、ヨーク６、マイクロスイッチ７を具備する。ケース３は、ケース本体９と、それの開口１６を閉じる蓋体１０とを具備する。ヨーク６の駆動板部２７は、マイクロスイッチ７に対して接近・離反してアクチュエータ２６を駆動する。吸着板２が側壁１２に当接したとき、永久磁石５は、ヨーク６と共に側壁１２側に引き寄せられる。ばね２９によって、常時は、ヨーク６がマイクロスイッチ７のアクチュエータ２６を押し込む位置に保持される。吸着板２が第２の側壁１２に当接するとヨーク６がばね２９を圧縮してマイクロスイッチ７から離れ、アクチュエータ２６が突出する。【選択図】図１
2011231550.tif 000002
【特許請求の範囲】
【請求項１】
接合、離脱する２つの部材の一方に固定される本体と、他方の部材に固定され一方の部材との接合時に前記本体に磁気吸着する吸着板とを具備し、
前記本体は、内側に収納空間を有する非磁性のケースと、この収納空間内に密閉して収納される永久磁石、ヨーク及びマイクロスイッチを具備し、
前記ケースは一体成形されるケース本体と、このケース本体の開口を閉じる蓋体とを具備し、
前記ケース本体は、前記収納空間の四囲を囲む第１ないし第４の側壁と、これら４つの側壁の一端側を閉じる第５の側壁と、第１ないし第４の側壁の他端側を開放する前記開口とを具備し、
前記ケースの第１の側壁は、前記収納空間の内外に通じる挿通部を有し、
前記ケースの第２の側壁は、前記第１の側壁に対向し外側面に前記吸着板が当接するように配置され、
前記マイクロスイッチは、前記挿通部から端子またはリード線を露出させ、アクチュエータを前記ケースの第２の側壁側に向けて、第１の側壁上に固定され、
前記ヨークは、前記ケースの第１の側壁との間に前記マイクロスイッチを挟んで第１の側壁と対向し第１の側壁に対して接近・離反することによりアクチュエータを駆動可能に構成される駆動板部を具備し、
前記永久磁石は、前記ヨークの駆動板部上に吸着固定され、前記吸着板が前記第２の側壁に当接したときにヨークと共に第２の側壁側に引き寄せられる磁力を有し、
前記ヨークの駆動板部と前記第２の側壁との間にはばねが介設され、それによって、常時ヨークが前記第１の側壁側へ付勢されて前記マイクロスイッチのアクチュエータを押し込む位置に保持され、前記吸着板が第２の側壁に当接したときにヨークがばねを圧縮して前記永久磁石と共に第２の側壁側に引き寄せられマイクロスイッチのアクチュエータが突出するようにしたことを特徴とするスイッチ付きマグネットキャッチ。
【請求項２】
前記ヨークは、前記ケースの第１の側壁との間に前記マイクロスイッチを挟んで第１の側壁と対向し第１の側壁に対して接近・離反することによりアクチュエータを駆動可能に構成される駆動板部と、この駆動板部の両側からマイクロスイッチの両側面に沿って第１の側壁に向かって延出する一対の脚部とを具備することを特徴とする請求項１に記載のスイッチ付きマグネットキャッチ。
【請求項３】
前記蓋体は、弾性部材で構成され、前記ケースの開口にこれを密閉するようにケースに嵌合される蓋板部と、この蓋板部からケースの収納空間側へ突出するように蓋板部と一体に形成される内側突出部とを具備し、
この内側突出部は、前記マイクロスイッチの本体に嵌合してこれを保持するスイッチ保持部と、前記第１の側壁の挿通部に密に嵌合する嵌合部とを具備し、
この嵌合部は、前記マイクロスイッチにおける前記第１の側壁の挿通部からの突出部の外周を包囲し、挿通部とマイクロスイッチとの間に介在して両者間を気密にシールするようにしたことを特徴とする請求項１に記載のスイッチ付きマグネットキャッチ。
【請求項４】
前記ケースの収納空間内には、前記マイクロスイッチを所定位置に保持するための合成樹脂製のスペーサが、前記蓋体と結合して収納され、
このスペーサは、前記蓋体の蓋板部に密着して前記ケースの開口に嵌合する支持板部と、この支持板部からケースの収納空間側へ突出し前記マイクロスイッチの外周を包囲する保持枠部とを具備することを特徴とする請求項３に記載のスイッチ付きマグネットキャッチ。
【発明の詳細な説明】
【技術分野】
【０００１】
この発明は、ケースの内側にマイクロスイッチを収納したマグネットキャッチに関する。
【背景技術】
【０００２】
従来、ケース内に永久磁石とヨークとを収納する本体と、ケースから露出するヨークの端縁に磁気吸着する吸着板とを具備するマグネットキャッチが知られている。また、本体ケース内に、マイクロスイッチを収納し、それのアクチュエータをケースから突出させ、吸着板がヨークに吸着するときにアクチュエータを押してマイクロスイッチを動作させることにより、扉の開閉動作等に伴って電気信号を発するようにしたスイッチ付きのマグネットキャッチが知られている（特許文献１参照）。
【先行技術文献】
【特許文献】
【０００３】
【特許文献１】実開平０２−１１８０７５号公報
【発明の概要】
【発明が解決しようとする課題】
【０００４】
上記従来のスイッチ付きマグネットキャッチにおいては、以下のような問題点がある。第１に、吸着板とヨークの金属同士が衝突することによる発塵の問題があるため、クリーンルームでの使用には適さない。第２に、アクチュエータと吸着板とが直接衝突する時の衝撃により、スイッチの耐用期間が短縮される。第３に、吸着板とヨークとの当たり具合により、アクチュエータの動作が安定しない。第４に、アクチュエータがケースから露出しているため、ケース内に浸水して内蔵部材の腐食を生じやすい。
したがって、この出願に係る発明は、上記問題点を解消するスイッチ付きマグネットキャッチを提供することを目的としている。
【課題を解決するための手段】
【０００５】
以下、添付図面の符号を参照して説明するが、本発明はこれに限定されるものではない。
上記課題を解決するため、この出願に係るスイッチ付きマグネットキャッチの本体１は、内側に収納空間４を有する非磁性のケース３と、この収納空間４内に密閉して収納される永久磁石５、ヨーク６及びマイクロスイッチ７とを具備する。ケース３は、一体成形されるケース本体９と、このケース本体９の開口１６を閉じる蓋体１０とを具備する。ケース本体９は、収納空間４の四囲を囲む第１ないし第４の側壁１１，１２，１３，１４と、これら４つの側壁の一端側を閉じる第５の側壁１５と、第１ないし第４の側壁の他端側を開放する開口１６とを具備する。ケースの第１の側壁１１は、収納空間４の内外に通じる挿通部１７を有する。ケースの第２の側壁１２は、第１の側壁１１に対向し、外側面に吸着板２が当接するように配置される。マイクロスイッチ７は、挿通部１７から端子またはリード線２５を露出させ、アクチュエータ２６をケース３の第２の側壁１２側に向けて、第１の側壁１１上に固定される。ヨーク６は、アクチュエータ２６を駆動する駆動板部２７を具備する。駆動板部２７は、ケースの第１の側壁１１との間にマイクロスイッチ７を挟んで第１の側壁と対向し、第１の側壁に対して接近・離反することによりアクチュエータ２６を駆動可能に構成される。永久磁石５は、ヨークの駆動板部２７上に吸着固定され、吸着板２が第２の側壁１２に当接したときに、ヨーク６と共に第２の側壁１２側に引き寄せられる磁力を有する。ヨーク６の駆動板部２７と第２の側壁１２との間にはばね２９が介設される。このばね２９によって、常時は、ヨーク６が第１の側壁１１側へ付勢されて、マイクロスイッチ７のアクチュエータ２６を押し込む位置に保持される。吸着板２が第２の側壁１２に当接すると、磁力により、ヨーク６がばね２９を圧縮して永久磁石５と共に第２の側壁１２側に引き寄せられ、マイクロスイッチ７のアクチュエータ２６が突出する。
【発明の効果】
【０００６】
この出願に係る発明のマグネットキャッチによれば、吸着板とヨークの金属同士が衝突することがないので発塵を抑えることができ、クリーンルームでの使用に支障を来さない。アクチュエータと吸着板とが直接衝突しないので、スイッチに加わる衝撃が小さく、その耐用期間の延長が図れる。吸着板とヨークとの当たり具合により、アクチュエータの動作が影響されることが少なく、スイッチの動作が安定する。アクチュエータがケースから露出していないので、露出部位からケース内への浸水を阻止することができ、それにより内蔵部材の腐食を防止することができる。
【図面の簡単な説明】
【０００７】
【図１】本発明に係るマグネットキャッチの分解斜視図である。
【図２】図１のマグネットキャッチの正面図である。
【図３】図１のマグネットキャッチの側面図である。
【図４】図１のマグネットキャッチの平面図である。
【図５】図２におけるＶ−Ｖ断面図である。
【図６】図２におけるＶＩ−ＶＩ断面図である。
【図７】図４におけるＶＩＩ−ＶＩＩ断面図である。
【図８】本発明の他の実施形態に係るマグネットキャッチの正面図である。
【図９】図８におけるＩＸ−ＩＸ断面図である。
【図１０】図８におけるＸ−Ｘ断面図である。
【図１１】図８のマグネットキャッチの蓋体を外した状態の背面図である。
【発明を実施するための形態】
【０００８】
図面を参照してこの発明の実施の形態を説明する。
スイッチ付きマグネットキャッチは、本体１とこれに磁気吸着する吸着板２とを具備する。例えば、本体１が、箱体の開口枠に固定され、吸着板２がそれの扉に固定される。扉が閉じられると、吸着板２が本体１に磁気吸着し、吸着力により、扉を閉鎖状態に保持する。
【０００９】
マグネットキャッチの本体１は、内側に収納空間４を有するケース３と、この収納空間４内に密閉して収納される永久磁石５、ヨーク６、マイクロスイッチ７及びスペーサ８を具備する。
【００１０】
ケース３は、非磁性のケース本体９と、このケース本体の開口１６を閉じる非磁性の蓋体１０とを具備する。ケース本体９は、両側の取り付け板部１８と、中央の膨出部３０とを具備し、例えばステンレス鋼板の絞り成形によって、一体形成される。膨出部３０の内側に収納空間4が形成される。膨出部３０は、収納空間４の四囲を囲む第１ないし第４の側壁１１，１２，１３，１４と、これら４つの側壁の一端側を閉じる第５の側壁１５と、それらの側壁の他端側を開放する開口１６とを具備する。
【００１１】
ケース３の第１の側壁１１は、収納空間４の内外に通じる矩形の挿通孔１７を有する。ケースの第２の側壁１２は、第１の側壁１１に対向し、外側面に吸着板２が当接するように配置される。側壁１３，１４の縁には、これと直交し側壁１５と平行に取り付け板部１８が延出している。
【００１２】
蓋体１０は、弾性部材で一体に構成され、蓋板部１９と、内側突出部２０とを具備する。蓋板部１９は、ケース３の開口１６に、これを密閉するように嵌合される。内側突出部２０は、蓋板部１９からケースの収納空間４側へ突出するように形成される。
【００１３】
蓋体１０の内側突出部２０は、マイクロスイッチ７のほぼ直方体状の本体に嵌合してこれを保持するスイッチ保持部２１と、第１の側壁１１の挿通孔１７に密に嵌合する嵌合部２２とを具備する。この嵌合部２２は、マイクロスイッチ７の本体の、挿通孔１７から突出する部位の外周を包囲し、挿通孔１７との間に介在して両者間を気密にシールする。
【００１４】
スペーサ８は、合成樹脂製で、蓋体１０と結合して収納空間４内に収納される。スペーサ８は、蓋体１０の蓋板部１９の内側面に密着してケース３の開口１６に嵌合する支持板部２３と、この支持板部２３からケースの収納空間４側へ突出する保持枠部２４とを具備する。保持枠部２４は、平面視矩形の環状で、マイクロスイッチ７本体の外周を包囲して、これを保持し、突出側の前面３１が第５の側壁１５の内側面に当接する。
【００１５】
蓋体１０は、弾性部材で構成されて軟弱であり、ケース本体９やマイクロスイッチ７と接触する部分に密着して気密性を保持するが、保形性が低く、外力から内部の収容部材を保護することができない。これに対して、スペーサ８は剛性が高く、支持板部２３が蓋体１０に重なり、保持枠部２４がマイクロスイッチ７を包囲し、また前面がケース本体９の側壁１５に当接することで、側壁１５と蓋体１０との所定の間隔を維持し、外力からマイクロスイッチ７を保護し、またこれを確実に収容空間４内に固定する。
【００１６】
マイクロスイッチ７は、挿通孔１６から端子またはリード線２５を露出させ、アクチュエータ２６をケースの第２の側壁側１２に向けて、第１の側壁１１上に固定される。
【００１７】
ヨーク６は、駆動板部２７と駆動板部の両側から直角に延出する一対の脚部２８とを具備する。駆動板部２７は、ケースの第１の側壁１１との間にマイクロスイッチ７を挟んで、第１の側壁１１と対向し、第１の側壁１１に対して接近・離反することによりアクチュエータ２６を駆動可能に構成される。脚部２８は、駆動板部２７の両側から、マイクロスイッチ７の両側面に沿って第１の側壁１１に向かって延出する。
【００１８】
永久磁石５は、ヨーク６の駆動板部２７上に吸着固定され、吸着板２がケース３の第２の側壁１２に当接したとき、ヨーク６と共に第２の側壁１２側に引き寄せられる磁力を有する。
【００１９】
ヨーク６の駆動板部２７と第２の側壁１２との間には、ばね２９が介設される。このばね２９によって、常時ヨーク６が第１の側壁１１側へ付勢され、この状態で駆動板部２７がマイクロスイッチ７のアクチュエータ２６を押し込むように保持される。また、吸着板２が第２の側壁１２に当接すると、ヨーク６がばね２９を圧縮して、永久磁石５と共に第２の側壁側１２に引き寄せられ、マイクロスイッチ７のアクチュエータ２６が突出してスイッチが切り替わる。
【００２０】
この実施形態のスイッチ付きマグネットキャッチは、吸着板２とヨーク６の金属同士が直接衝突することがないので、発塵を抑えることができ、クリーンルームでの使用に適する。アクチュエータ２６と吸着板２とが直接衝突しないので、スイッチ７に加わる衝撃が小さく、その耐用期間の延長が図れる。吸着板２が本体１に対して所定距離まで接近すれば、吸着板２の姿勢如何にかかわらず（扉の不完全な閉鎖状態等に伴う不完全な接合でも）、ヨーク６が確実に移動して、アクチュエータ２６を確実に動作させるので、スイッチ７の動作が安定する。アクチュエータ２６がケース３から露出していないので、露出部位からケース内への浸水を阻止することができ、それにより内蔵部材の腐食を防止することができる。
【００２１】
図８〜図１１には他の実施形態を示す。先の実施形態と同等の構成部分には同一の符号を付して説明を省略する。
【００２２】
この実施形態においては、ケース本体９と蓋体１０がそれぞれ合成樹脂でモールド成形される。ケース本体３の側壁１３，１４の内側には、ヨーク６を支持する支持片３０が側壁１１と平行に延出している。ヨーク６は、常時はばね２９により支持片３２上に保持されており、この状態で、マイクロスイッチ７のアクチュエータ２６を押し込んでいる。
【符号の説明】
【００２３】
１    マグネットキャッチの本体
２    吸着板
３    ケース
４    収納空間
５    永久磁石
６    ヨーク
７    マイクロスイッチ
８    スペーサ
９    ケース本体
１０    蓋体
１１  第１の側壁
１２  第２の側壁
１３  第３の側壁
１４  第４１の側壁
１５  第５の側壁
１６  開口
１７  挿通孔
１８  取り付け板部
１９  蓋板部
２０  内側突出部
２１  スイッチ保持部
２２  嵌合部
２３  支持板部
２４  保持枠部
２５  リード線
２６  アクチュエータ
２７  駆動板部
２８  脚部
２９  ばね
３０  膨出部
３１  前面
３２  支持片
【図１】
2011231550.tif 000003
【図２】
2011231550.tif 000004
【図３】
2011231550.tif 000005
【図４】
2011231550.tif 000006
【図５】
2011231550.tif 000007
【図６】
2011231550.tif 000008
【図７】
2011231550.tif 000009
【図８】
2011231550.tif 000010
【図９】
2011231550.tif 000011
【図１０】
2011231550.tif 000012
【図１１】
2011231550.tif 000013